【手続補正書】
【提出日】平成18年5月15日(2006.5.15)
【手続補正１】
【補正対象書類名】明細書
【補正対象項目名】特許請求の範囲
【補正方法】変更
【補正の内容】
【特許請求の範囲】
【請求項１】  作業範囲を確定するコンピュータ化された方法であって、
タスクのリストを提供するステップと、
前記リストから所望のタスクを選択するステップと、
前記作業範囲に前記所望のタスクを追加するステップと、
関連するタスクが存在するかを判断するステップと、
関連するタスクが存在する場合に、この関連するタスクを前記作業範囲に追加するステップと、を含むことを特徴とするコンピュータ化された方法。
【請求項２】  前記関連するタスクは、前提タスクまたは同時実行タスクを含み、該関連するタスクを追加するステップは、前記前提タスクまたは前記同時進行タスクを前記作業範囲に自動的に追加することを含むことを特徴とする請求項１記載のコンピュータ化された方法。
【請求項３】  前記関連するタスクは、前提タスク、同時進行タスク、優先タスク、または推奨タスクを含み、該関連するタスクを追加するステップは、
前記作業範囲において前記所望のタスクを前記優先タスクに自動的に置き換えるステップと、
前記作業範囲に前記前提タスクまたは前記同時進行タスクを自動的に追加するステップと、
ユーザが前記推奨タスクの性能を要求する場合に、前記作業範囲に前記推奨タスクを追加するステップと、を含むことを特徴とする請求項１記載のコンピュータ化された方法。
【請求項４】  前記判断するステップは、前記関連するタスクを探索するためにデータベースにアクセスすることを含むことを特徴とする請求項１記載のコンピュータ化された方法。
【請求項５】  前記所望のタスクもしくは前記関連するタスクが以前に実行されたかを判断するステップを含むことを特徴とする請求項１記載のコンピュータ化された方法。
【請求項６】  前記タスクのリストは、業務広報を含むことを特徴とする請求項１記載のコンピュータ化された方法。
【請求項７】  前記作業範囲は、ガスタービンエンジンに実行されることを特徴とする請求項１記載のコンピュータ化された方法。
【請求項８】  作業範囲を変更するコンピュータ化された方法であって、
複数のタスクを含む作業範囲を提供するステップと、
前記複数のタスクから特定のタスクを選択するステップと、
前記選択されたタスクの代用物として適した代替タスクを探索するステップと、
前記代替タスクと前記複数のタスクの残りの部分との間に矛盾が存在するかを判断するステップと、
矛盾が存在しなければ、前記作業範囲の前記選択されたタスクを前記代替タスクに置き換えるステップと、を含むことを特徴とするコンピュータ化された方法。
【請求項９】  前記選択されたタスクは、部品に実行される作業ステップを含み、選択するステップは、許容できない調達時間を有するか、入手できないか、または許容できないコストを有する部品を含む特定のタスクを選択することを含むことを特徴とする請求項８記載のコンピュータ化された方法。
【請求項１０】  前記作業範囲は、ガスタービンエンジンに実行されることを特徴とする請求項８記載のコンピュータ化された方法。
【請求項１１】  データベース内のデータ要素間の関係を示す図表を表示するコンピュータ化された方法であって、
少なくとも１つのデータ要素をそれぞれ含むデータ群のデータベースを提供するステップと、
前記データ要素の中で所望のデータ要素を選択するステップと、
前記データベースにおいて前記所望のデータ要素のインスタンスを探索するステップと、
前記所望のデータ要素を含むデータ群の関係を判断するステップと、
前記関係を表示するステップと、を含むことを特徴とするコンピュータ化された方法。
【請求項１２】  前記各々のデータ群は、それぞれ複数のデータ要素を含み、さらに、
前記所望のデータ要素を含むデータ群から前記所望のデータ要素と相関関係を有する関連するデータ要素を選択するステップと、
前記データベースにおいて前記関連するデータ要素のインスタンスを探索するステップと、
前記関連するデータ要素を含むデータ群の間の関係を判断するステップと、
前記関係を表示するステップと、を含むことを特徴とする請求項１１記載のコンピュータ化された方法。
【請求項１３】  前記データ要素は、部品番号を含むことを特徴とする請求項１１記載のコンピュータ化された方法。
【請求項１４】  前記関係は、部品番号の階層を示すことを特徴とする請求項１１記載のコンピュータ化された方法。
【請求項１５】  前記データ群は、業務広報を含むことを特徴とする請求項１１記載のコンピュータ化された方法。
【請求項１６】  前記関係は、前記業務広報によって追加または削除される部品番号の階層であることを特徴とする請求項１１記載のコンピュータ化された方法。
【請求項１７】  作業範囲を確定するためのコンピュータシステムであって、
タスクのリストを表示する表示手段と、
前記リストから所望のタスクを選択する選択手段と、
前記作業範囲に前記所望のタスクを追加するとともに、関連するタスクが存在するかを判断し、かつ関連するタスクが存在する場合に、この関連するタスクを前記作業範囲に追加するように前記所望のタスクを処理する処理手段と、を含むことを特徴とするコンピュータシステム。
【請求項１８】  前記関連するタスクは、前提タスクまたは同時実行タスクを含み、前記処理手段は、前記前提タスクまたは前記同時進行タスクを前記作業範囲に自動的に追加することを含むことを特徴とする請求項１７記載のコンピュータシステム。
【請求項１９】  前記関連するタスクは、前提タスク、同時進行タスク、優先タスク、または推奨タスクを含み、前記処理手段は、前記作業範囲において前記所望のタスクを前記優先タスクに自動的に置き換えるとともに、前記作業範囲に前記前提タスクまたは前記同時進行タスクを自動的に追加し、かつユーザが前記推奨タスクの性能を要求する場合に、前記作業範囲に前記推奨タスクを追加することを特徴とする請求項１７記載のコンピュータシステム。
【請求項２０】  前記関連するタスクを探索するためにデータベースを記憶する記憶手段をさらに含むことを特徴とする請求項１７記載のコンピュータシステム。
【請求項２１】  前記処理手段は、さらに前記所望のタスクもしくは前記関連するタスクが以前に実行されたかを判断することを特徴とする請求項１７記載のコンピュータシステム。
【請求項２２】  前記タスクのリストは、業務広報を含むことを特徴とする請求項１７記載のコンピュータシステム。
【請求項２３】  前記作業範囲は、ガスタービンエンジンに実行されることを特徴とする請求項１７記載のコンピュータシステム。
【請求項２４】  作業範囲を変更するためのコンピュータシステムであって、
複数のタスクを含む作業範囲を表示する表示手段と、
前記複数のタスクから特定のタスクを選択する選択手段と、
前記選択されたタスクの代用物として適した代替タスクを探索するとともに、前記代替タスクと前記複数のタスクの残りの部分との間に矛盾が存在するかを判断し、かつ矛盾が存在しなければ、前記作業範囲の前記選択されたタスクを前記代替タスクに置き換えるように前記選択されたタスクを処理する処理手段と、を含むことを特徴とするコンピュータシステム。
【請求項２５】  前記選択されたタスクは、許容できない調達時間を有するか、入手できないか、または許容できないコストを有する部品に実行される作業ステップを含むことを特徴とする請求項２４記載のコンピュータシステム。
【請求項２６】  前記作業範囲は、ガスタービンエンジンに実行されることを特徴とする請求項２４記載のコンピュータシステム。
【請求項２７】  データベース内のデータ要素間の関係を示す図表を表示するコンピュータシステムであって、
少なくとも１つのデータ要素をそれぞれ含むデータ群のデータベースを記憶する記憶手段と、
前記データ要素の中で所望のデータ要素を特定する特定手段と、
前記データベースにおいて前記所望のデータ要素のインスタンスを探索するとともに、前記所望のデータ要素を含むデータ群の関係を判断するように前記所望のデータを処理する処理手段と、
前記関係を表示する表示手段と、を含むことを特徴とするコンピュータシステム。
【請求項２８】  前記各々のデータ群は、それぞれ複数のデータ要素を含み、前記処理手段は、前記所望のデータ要素を含むデータ群から前記所望のデータ要素と相関関係を有する関連するデータ要素を選択するとともに、前記データベースにおいて前記関連するデータ要素のインスタンスを探索し、かつ前記関連するデータ要素を含むデータ群の間の関係を判断することを特徴とする請求項２７記載のコンピュータシステム。
【請求項２９】  前記データ要素は、部品番号を含むことを特徴とする請求項２７記載のコンピュータシステム。
【請求項３０】  前記表示手段は、部品番号の階層を示すことを特徴とする請求項２９記載のコンピュータシステム。
【請求項３１】  前記データ群は、業務広報を含むことを特徴とする請求項２７記載のコンピュータシステム。
【請求項３２】  前記表示手段は、前記業務広報によって追加または削除される部品番号の階層を表示することを特徴とする請求項３１記載のコンピュータシステム。